(57)【特許請求の範囲】
【請求項１】
上部蝶番１０と、この上部蝶番１０の一方の扉羽根１１に取付けられ孔２５を有する上部金具２０と、扉７０の上部寄りに取付けられ取付用ねじ孔３３を有する金属製の上部固定ベース３０と、下部蝶番４０と、この下部蝶番４０の一方の扉羽根４１に取付けられ孔５５を有する下部金具５０と、扉７０の下部寄りに取付けられ取付用ねじ孔６３を有する金属製の下部固定ベース６０を備え、
前記上部金具２０の孔２５から取付用ねじ８１を上部固定ベース３０の取付用ねじ孔３３にねじ込んで上部金具２０を上部固定ベース３０に取付け、前記下部金具５０の孔５５から取付用ねじ８１を下部固定ベース６０の取付用ねじ孔６３にねじ込んで下部金具５０を下部固定ベース６０に取付けるようにし、
前記上部金具２０と上部固定ベース３０の一方における上下方向中央部よりも一方にずれた位置で、かつ左右中央部よりも一方にずれた位置に１つの突起を設け、前記上部金具２０と上部固定ベース３０の他方における上部寄りで、かつ左右一方寄り位置に第１穴３４、下寄りでかつ左右他方寄り位置に第２穴３５をそれぞれ形成し、この第１穴３５、第２穴３６は前記突起が嵌まり合う大きさで、前記上部金具２０を左右反転することで突起が第１穴３５と第２穴３６の一方に嵌まり合うように構成し、
前記下部金具５０と下部固定ベース６０の一方における上下方向中央部よりも他方にずれた位置で、かつ左右中央部よりも一方にずれた位置に１つの突起を設け、前記下部金具５０と下部固定ベース６０の他方における上部寄りで、かつ左右他方寄り位置に第１穴６４、下寄りでかつ左右一方寄り位置に第２穴６５をそれぞれ形成し、この第１穴６４、第２穴６５は前記突起が嵌まり合う大きさで、前記下部金具５０を左右反転することで突起が第１穴６４と第２穴６５の一方に嵌まり合うように構成したことを特徴とする扉用蝶番。
【請求項２】
前記各突起をフランジを有するピンとし、前記各穴はフランジよりも大きく、かつ穴と連続してフランジよりも小さくピンよりも大きな長孔を有するものとした請求項１記載の扉用蝶番。
【発明の詳細な説明】
【０００１】
【発明の属する技術分野】
本発明は、木質扉を取付開口枠に開閉自在に取付ける扉用蝶番に関する。
【０００２】
【従来の技術】
扉用蝶番は上部蝶番と下部蝶番を備え、上部蝶番の一方の扉羽根を扉上部、他方の扉羽根を取付開口枠の上部にそれぞれ取付け、下部蝶番の一方の扉羽根を扉下部、他方の扉羽根を取付開口枠の下部にそれぞれ取付ける。
【０００３】
【発明が解決しようとする課題】
木質扉の蝶番取付けは施工現場で施工作業者が扉羽根を扉、取付開口枠に木ねじで直接取付けるのが一般的である。このように木ねじで取付ける場合に木ねじが曲がってねじ込まれたり、ねじ込みトルクが高いために木ねじが空回りすることがあり、その蝶番の取付け強度が施工作業者の技量によって異なることがあり、扉の重量をささえ長期の開閉に耐えられる十分な取付強度とするには熟練した施工作業者が慎重に木ねじをねじ込むので、その施工が面倒である。
【０００４】
また、蝶番取替え等で扉にねじ込んである木ねじを１度抜き、再度同じところにねじ込んだ時に木ねじが扉に十分に食いつかず取付強度が低いので、異なるところにねじ込む必要がある。
木ねじを異なるところにねじ込むには蝶番の位置を変えることになり、その作業が大変である。
【０００５】
また、扉を取付開口枠に取付けるには、上部蝶番、下部蝶番の他方の扉羽根を取付開口枠にそれぞれ取付け、この状態で扉を持って上部蝶番、下部蝶番の一方の扉羽根を扉吊元側端面の上部、下部にそれぞれ取付けてある。
このようにして扉を取付ける場合に誤まって扉を上下反対として取付けることがあり、その場合には扉を外して再度取付けし直すので、その作業が面倒である。
【０００６】
そこで、本発明は前述の課題を解決できるようにした扉用蝶番を提供することを目的とする。
【０００７】
【課題を解決するための手段】
第１の発明は、上部蝶番１０と、この上部蝶番１０の一方の扉羽根１１に取付けられ孔２５を有する上部金具２０と、扉７０の上部寄りに取付けられ取付用ねじ孔３３を有する金属製の上部固定ベース３０と、下部蝶番４０と、この下部蝶番４０の一方の扉羽根４１に取付けられ孔５５を有する下部金具５０と、扉７０の下部寄りに取付けられ取付用ねじ孔６３を有する金属製の下部固定ベース６０を備え、
前記上部金具２０の孔２５から取付用ねじ８１を上部固定ベース３０の取付用ねじ孔３３にねじ込んで上部金具２０を上部固定ベース３０に取付け、前記下部金具５０の孔５５から取付用ねじ８１を下部固定ベース６０の取付用ねじ孔６３にねじ込んで下部金具５０を下部固定ベース６０に取付けるようにし、
前記上部金具２０と上部固定ベース３０の一方における上下方向中央部よりも一方にずれた位置で、かつ左右中央部よりも一方にずれた位置に１つの突起を設け、前記上部金具２０と上部固定ベース３０の他方における上部寄りで、かつ左右一方寄り位置に第１穴３４、下寄りでかつ左右他方寄り位置に第２穴３５をそれぞれ形成し、この第１穴３５、第２穴３６は前記突起が嵌まり合う大きさで、前記上部金具２０を左右反転することで突起が第１穴３５と第２穴３６の一方に嵌まり合うように構成し、
前記下部金具５０と下部固定ベース６０の一方における上下方向中央部よりも他方にずれた位置で、かつ左右中央部よりも一方にずれた位置に１つの突起を設け、前記下部金具５０と下部固定ベース６０の他方における上部寄りで、かつ左右他方寄り位置に第１穴６４、下寄りでかつ左右一方寄り位置に第２穴６５をそれぞれ形成し、この第１穴６４、第２穴６５は前記突起が嵌まり合う大きさで、前記下部金具５０を左右反転することで突起が第１穴６４と第２穴６５の一方に嵌まり合うように構成したことを特徴とする扉用蝶番である。
【０００８】
第２の発明は、第１の発明において、前記各突起をフランジを有するピンとし、前記各穴はフランジよりも大きく、かつ穴と連続してフランジよりも小さくピンよりも大きな長孔を有するものとした扉用蝶番である。
【００１１】
【作    用】
第１の発明によれば、扉７０に取付けた金属製の上部固定ベース３０の取付用ねじ孔３３に取付用ねじ８１をねじ込んで上部蝶番１０の一方の扉羽根１１に取付けた上部金具２０を扉７０に取付けるし、扉７０に取付けた金属製の下部固定ベース６０の取付用ねじ孔６３に取付用ねじ８１をねじ込んで下部蝶番４０の一方の扉羽根４１に取付けた下部金具５０を扉７０に取付けるので、上部蝶番１０、下部蝶番４０を扉７０に取付ける取付用ねじ８１を熟練者でなくとも簡単に正しくねじ込むことができる。
これにより、上部蝶番、下部蝶番を扉に簡単で、しかも十分な取付強度として取付けでき、施工が容易である。
【００１２】
また、取付用ねじ８１を１度抜き、再度ねじ込んだ時にも十分に食いつき十分な取付強度が得られる。
これによって、蝶番取替え等しても十分な取付強度で取付けできる。
【００１３】
また、上部金具２０と上部固定ベース３０の一方に設けた突起と下部金具５０の下部固定ベース６０の一方に設けた突起は、上下方向の位置が相違するし、上部金具２０と上部固定ベース３０の他方に形成した第１穴３４、第２穴３５と下部金具５０と下部固定ベース６０の他方に設けた第１穴６４、第２穴６５は、左右方向の位置が相違しているから、上部金具２０を下部固定ベース６０に取付けようとすると突起と第１穴、第２穴が嵌まり合うことがないし、下部金具５０を上部固定ベース３０に取付けようとすると突起と第１穴、第２穴が嵌まり合うことがない。
したがって、上部金具２０を下部固定ベース６０に取付けできないし、下部金具５０を上部固定ベース３０に取付けできない。
これによって、上部蝶番１０、下部蝶番４０を取付開口枠に取付けると共に、この一方の扉羽根１１，４１に上部金具２０、下部金具５０を取付け、扉７０に上部固定ベース３０、下部固定ベース６０を取付けた状態で、扉７０を取付ける時に扉７０を誤まって上下反対に取付けることを未然に防止できる。
【００１４】
また、上部金具２０、下部金具５０を左右反転して取付けできるので、扉７０に上部蝶番１０、下部蝶番４０を左右勝手違いに取付けでき、扉７０を取付開口枠に押し、引き、左右勝手違いに取付けできる。
【００１５】
第２の発明によれば、フランジを穴に挿入して長孔に沿って左右に移動することで上部金具２０、下部金具５０が上部固定ベース３０、下部固定ベース６０に仮支持されるので、上部金具２０、下部金具５０を手で押えなくとも取付用ねじ８１を取付用ねじ孔３３，６３にねじ込むことができ、その作業が容易である。
【００１６】
【発明の実施の形態】
図１に示すように、上部蝶番１０と上部金具２０と金属製の上部固定ベース３０及び下部蝶番４０と下部金具５０と金属製の下部固定ベース６０で扉用蝶番を形成している。扉７０は木質扉で、その吊元側端面７１の上部寄りに上部凹陥部７２が形成され、下部寄りに下部凹陥部７３が形成してある。
【００１７】
前記上部蝶番１０は一方の扉羽根１１と図示しない他方の扉羽根を図示しない軸で揺動自在に連結してある。
前記一方の扉羽根１１の上下寄りに左右方向に長い取付用長孔１２が形成され、上下中間の左右中間に開口窓１３が形成され、上下中間の左右一端寄りに左右方向に長い調整用長孔１４が形成してある。この実施の形態では調整用長孔１４は一方の扉羽根１１の一端面に開口している。
【００１８】
前記上部金具２０は横板２１と縦板２２で断面Ｌ字形状で、その横板２１の上下寄りに取付用ねじ孔２３が形成され、上下中間に調整用ねじ孔２４が形成され、上下端近くには孔２５が形成してある。前記横板２１の裏面の一部分に突起、例えばフランジ２６を有するピン２７が設けてある。前記縦板２２に扉羽根挿通用の開口部２８が形成してある。
【００１９】
前記上部固定ベース３０は矩形板状で、その上下中間には調整用ねじが挿入する孔、例えば左右方向に長い長孔３１が形成してある。上部固定ベース３０の上下寄りに固定用孔３２がそれぞれ形成され、上下端近くに取付用ねじ孔３３がそれぞれ形成してある。上部固定ベース３０における長孔３１を境とした上下寄りには第１穴３４、第２穴３５が形成してあり、第１穴３４は左右一方寄りで、かつ左右他方に向う第１長孔３６が連続して形成してある。この第１長孔３６は第１穴３４の径よりも幅狭である。
前記第２穴３５は左右他方寄りで、かつ左右一方に向う第２長孔３７が連続して形成してある。この第２長孔３７は第２穴３５の径よりも幅狭である。
【００２０】
前記扉７０の上部凹陥部７２は上部固定ベース３０の平面形状とほぼ同一で、扉７０の表裏面に切欠部７４でそれぞれ開口している。上部凹陥部７２の上下方向中間に調整用ねじが突出する中間凹部７５、ピン２７が突出する上下寄りの凹部７６、取付用ねじが突出する上下端近くの凹部７７がそれぞれ形成してある。前記中間凹部７５、上下寄りの凹部７６は左右方向に長い凹部である。
【００２１】
上部固定ベース３０は扉７０の上部凹陥部７２に挿入され、固定用孔３２から木ネジ８０を扉７０の吊元側端面７１にねじ込んで強固に固定される。これによって、上部固定ベース３０の長孔３１が中間凹部７５に合致し、第１穴３４、第１長孔３６が上方寄りの凹部７６に合致し、第２穴３５、第２長孔３７が下方寄りの凹部７６に合致し、取付用ねじ孔３３が上下端近くの凹部７７に合致する。
【００２２】
上部金具２０は上部固定ベース３０に重ね合せ、孔２５から取付用ねじ８１を取付用ねじ孔３３にねじ込んで取付けられる。この時上部金具２０のピン２７が第１穴３４又は第２穴３５に嵌まり合う。例えば上部金具２０の縦板２２が扉７０の左側寄りとなるように取付ければピン２７は第１穴３４に嵌まり合う。上部金具２０の縦板２２が扉７０の右側寄りとなるように左右反転して取付けるとピン２７は第２穴３５に嵌まり合う。
【００２３】
すなわち、上部金具２０のピン２７は上下方向中央部よりも一方にずれた位置で、かつ左右中央部よりも一方にずれた位置に形成してあるので、左右反転することでピン２７が第１穴３４、第２穴３５の一方に嵌まり合う。このようであるから上部蝶番１０を左右勝手違いに取付けできる。
【００２４】
また、ピン２７が第１穴３４又は第２穴３５に嵌まり合うとフランジ２６が第１穴３４、第２穴３５よりも突出し、ピン２７は第１長孔３６、第２長孔３７に沿って左右方向に移動可能であるから、上部金具２０を左右方向に若干移動することでフランジ２６が上部固定ベース３０の裏面に接して外れないように仮支持される。すなわち、第１穴３４、第２穴３５はフランジ２６よりも若干大径で、第１長孔３６、第２長孔３７の幅はピン２７の径よりも大きく、フランジ２６の径よりも小さい。
【００２５】
前記上部蝶番１０の一方の扉羽根１１は扉羽根挿通用の開口部２８内に左右移動自在に挿通され、この一方の扉羽根１１は開口部２８と接する部分を支点として前後に揺動可能に支持される。固定用長孔１２から固定用ねじ８２を固定用ねじ孔２３にねじ込むと共に、調整用長孔１４から調整用ねじ８３を調整用ねじ孔２４にねじ込んで一方の扉羽根１１を上部金具２０に取付ける。
【００２６】
前記一方の扉羽根１１の開口窓１３の左右中間に上部金具２０の縦板２２が位置し、この開口窓１３の左右一方側部分と縦板２２との間に矩形状の第１の空間部１５を形成し、開口部１３の左右他方側部分と縦板２２との間に矩形状の第２の空間部１６を形成する。
【００２７】
固定用ねじ８２を弛めて第１の空間部１５にドライバー等の工具を挿入して回転することで縦板２２と開口窓１３の左右一端開口縁に接することによって一方の扉羽根１１が上部金具２０に対して図２に示すように左右一方（矢印Ａ方向）に移動する。固定用ねじ８２を弛めて第２の空間部１６に前述と同様の工具を挿入して回転することで縦板２２と開口窓１３の左右他端開口縁に接することによって一方の扉羽根１１が上部金具２０に対して図２に示すように左右他方（矢印Ｂ方向）に移動する。
【００２８】
このようであるから、ドライバー等の工具を片手で持って回転することで一方の扉羽根１１を上部金具２０に対して左右に移動でき、その操作が容易であるから、扉の建付け調整作業が容易である。
【００２９】
また、調整用ねじ８３を締付けると一方の扉羽根１１は縦板２２の開口部２８との接触部を支点として図３に矢印Ｃで示すように扉７０の吊元側端面７１に接近する方向（前後一側方）に揺動し、調整用ねじ８３を弛めると一方の扉羽根１１は図３に矢印Ｄで示すように扉７０の吊元側端面７１と離れる方向（前後他側方）に揺動する。これによって扉羽根１１の上部金具２０への前後取付角度を変えることができる。
【００３０】
前記下部蝶番４０は一方の扉羽根４１と図示しない他方の扉羽根を図示しない軸で揺動自在に連結してある。
前記一方の扉羽根４１の上下寄りに左右方向に長い取付用長孔４２が形成され、上下中間の左右中間に開口窓４３が形成され、上下中間の左右一端寄りに左右方向に長い調整用長孔４４が形成してある。この実施の形態では調整用長孔４４は一方の扉羽根４１の一端面に開口している。つまり、下部蝶番４０の一方の扉羽根４１は上部蝶番１０の一方の扉羽根１１と同一形状である。
【００３１】
前記下部金具５０は横板５１と縦板５２で断面Ｌ字形状で、その横板５１の上下寄りに取付用ねじ孔５３が形成され、上下中間に調整用ねじ孔５４が形成され、上下端近くには孔５５が形成してある。前記横板２１の裏面の一部分に突起、例えばフランジ５６を有するピン５７が設けてある。前記縦板５２に扉羽根挿通用の開口部５８が形成してある。つまり、下部金具５０は上部金具２０と同一形状で突起（ピン５７）の取付け位置が相違する。
【００３２】
前記下部固定ベース６０は矩形板状で、その上下中間には調整用ねじが挿入する孔、例えば左右方向に長い長孔６１が形成してある。下部固定ベース６０の上下寄りに固定用孔６２がそれぞれ形成され、上下端近くに取付用ねじ孔６３がそれぞれ形成してある。下部固定ベース６０における長孔６１を境とした上下寄りには第１穴６４、第２穴６５が形成してあり、第１穴６４は左右他方寄りで、かつ左右一方に向う第１長孔６６が連続して形成してある。この第１長孔６６は第１穴６４の径よりも幅狭である。
前記第２穴６５は左右一方寄りで、かつ左右他方に向う第２長孔６７が連続して形成してある。この第２長孔６７は第２穴６５の径よりも幅狭である。つまり、下部固定ベース６０は上部固定ベース３０と同一形状で、第１穴６４と第２穴６５の位置が左右反対となっている。
【００３３】
前記扉７０の下部凹陥部７３は下部固定ベース６０の平面形状とほぼ同一で、扉７０の表裏面に切欠部７４でそれぞれ開口している。下部凹陥部７３の上下方向中間に調整用ねじが突出する中間凹部７５、ピン５７が突出する上下寄りの凹部７６、取付用ねじが突出する上下端近くの凹部７７がそれぞれ形成してある。前記中間凹部７５、上下寄りの凹部７６は左右方向に長い凹部である。つまり、下部凹陥部７３は上部凹陥部７２と同一形状である。
【００３４】
下部固定ベース６０は扉７０の下部凹陥部７３に挿入され、固定用孔６２から木ネジ８０を扉７０の吊元側端面７１にねじ込んで強固に固定される。これによって、下部固定ベース６０の長孔６１が中間凹部７５に合致し、第１穴６４、第１長孔６６が上方寄りの凹部７６に合致し、第２穴６５、第２長孔６７が下方寄りの凹部７６に合致し、取付用ねじ孔６３が上下端近くの凹部７７に合致する。つまり、下部固定ベース６０は上部固定ベース３０と同様に下部凹陥部７３に取付けられる。
【００３５】
下部金具５０は下部固定ベース６０に重ね合せ、孔５５から取付用ねじ８１を取付用ねじ孔６３にねじ込んで取付けられる。この時下部金具５０のピン５７が第１穴６４又は第２穴６５に嵌まり合う。例えば下部金具５０の縦板５２が扉７０の左側寄りとなるように取付ければピン５７は第２穴６５に嵌まり合う。下部金具５０の縦板５２が扉７０の右側寄りとなるように左右反転して取付けるとピン５７は第１穴６４に嵌まり合う。
【００３６】
すなわち、下部金具５０のピン５７は上下方向中央部よりも他方にずれた位置で、かつ左右中央部よりも一方にずれた位置に形成してあるので、左右反転することでピン５７が第１穴６４、第２穴６５の一方に嵌まり合う。このようであるから下部蝶番４０を左右勝手違いに取付けできる。
【００３７】
また、ピン５７のフランジ５６で下部金具５０を下部固定ベース６０に仮保持できる。
また、下部蝶番４０の一方の扉羽根４１は下部金具５０に上部蝶番１０の一方の扉羽根１１と上部金具２０と同様に固定用ねじ８２、調整用ねじ８３で取付けられるから、一方の扉羽根４１を左右方向に移動したり、前後取付角度を変えることができる。
【００３８】
また、上部金具２０のピン２７と下部金具５０のピン５７は上下方向中央部を境として反対位置であるし、上部固定ベース３０の第１穴３４と下部固定ベース６０の第１穴６４は左右方向に反対位置で、かつ上部固定ベース３０の第２穴３５と下部固定ベース６０の第２穴６５は左右方向に反対であるから、図４のように上部金具２０を下部固定ベース６０に取付けようとするとピン２７（フランジ２６）が下部固定ベース６０の第１穴６４、第２穴６５に嵌まり込まないので取付けできない。図５のように下部金具５０を上部固定ベース３０に取付けようとするとピン５７（フランジ５６）が上部固定ベース３０の第１穴３４、第２穴３５に嵌まり込まないので取付けできない。このことは左右勝手違いに取付ける場合でも同様である。
【００３９】
このようであるから、扉製造工場において扉７０の上部凹陥部７２に上部固定ベース３０、下部凹陥部７３に下部固定ベース６０をそれぞれ誤まりなく正しく取付ける。
施工現場において上部蝶番１０、下部蝶番４０の他方の扉羽根を取付開口枠の上下にそれぞれ取付け、上部蝶番１０の一方の扉羽根１１に上部金具２０をセットし、下部蝶番４０の一方の扉羽根４１に下部金具５０をセットする。
【００４０】
そして、扉７０の上部固定ベース３０に上部金具２０、下部固定ベース６０に下部金具５０を取付けることで、扉７０を誤まって上下反対に取付けることを未然に防止できる。
【００４１】
前記上部金具２０に第１穴３４、第２穴３５を形成し、上部固定ベース３０にピン２７を取付け、下部金具５０に第１穴６４、第２穴６５を形成し、下部固定ベース６０にピン５７を取付けても良い。
【００４２】
【発明の効果】
請求項１に係る発明によれば、扉７０に取付けた金属製の上部固定ベース３０の取付用ねじ孔３３に取付用ねじ８１をねじ込んで上部蝶番１０の一方の扉羽根１１に取付けた上部金具２０を扉７０に取付けるし、扉７０に取付けた金属製の下部固定ベース６０の取付用ねじ孔６３に取付用ねじ８１をねじ込んで下部蝶番４０の一方の扉羽根４１に取付けた下部金具５０を扉７０に取付けるので、上部蝶番１０、下部蝶番４０を扉７０に取付ける取付用ねじ８１を熟練者でなくとも簡単に正しくねじ込むことができる。
これにより、上部蝶番、下部蝶番を扉に簡単で、しかも十分な取付強度として取付けでき、施工が容易である。
【００４３】
また、取付用ねじ８１を１度抜き、再度ねじ込んだ時にも十分に食いつき十分な取付強度が得られる。
これによって、蝶番取替え等しても十分な取付強度で取付けできる。
【００４４】
また、上部金具２０と上部固定ベース３０の一方に設けた突起と下部金具５０の下部固定ベース６０の一方に設けた突起は、上下方向の位置が相違するし、上部金具２０と上部固定ベース３０の他方に形成した第１穴３４、第２穴３５と下部金具５０と下部固定ベース６０の他方に設けた第１穴６４、第２穴６５は、左右方向の位置が相違しているから、上部金具２０を下部固定ベース６０に取付けようとすると突起と第１穴、第２穴が嵌まり合うことがないし、下部金具５０を上部固定ベース３０に取付けようとすると突起と第１穴、第２穴が嵌まり合うことがない。
したがって、上部金具２０を下部固定ベース６０に取付けできないし、下部金具５０を上部固定ベース３０に取付けできない。
これによって、上部蝶番１０、下部蝶番４０を取付開口枠に取付けると共に、この一方の扉羽根１１，４１に上部金具２０、下部金具５０を取付け、扉７０に上部固定ベース３０、下部固定ベース６０を取付けた状態で、扉７０を取付ける時に扉７０を誤まって上下反対に取付けることを未然に防止できる。
【００４５】
また、上部金具２０、下部金具５０を左右反転して取付けできるので、扉７０に上部蝶番１０、下部蝶番４０を左右勝手違いに取付けでき、扉７０を取付開口枠に押し、引き、左右勝手違いに取付けできる。
【００４６】
請求項２に係る発明によれば、フランジを穴に挿入して長孔に沿って左右に移動することで上部金具２０、下部金具５０が上部固定ベース３０、下部固定ベース６０に仮支持されるので、上部金具２０、下部金具５０を手で押えなくとも取付用ねじ８１を取付用ねじ孔３３，６３にねじ込むことができ、その作業が容易である。
【図面の簡単な説明】
【図１】本発明の実施の形態を示す分解斜視図である。
【図２】上部蝶番の取付状態の平面図である。
【図３】図２のＥ−Ｅ断面図である。
【図４】上部金具を下部固定ベースに取付けた状態の平面図である。
【図５】下部金具を上部固定ベースに取付けた状態の平面図である。
【符号の説明】
１０…上部蝶番、１１…一方の扉羽根、２０…上部金具、２５…孔、２６…フランジ、２７…ピン（突起）、３０…上部固定ベース、３３…取付用ねじ孔、３４…第１穴、３５…第２穴、３６…第１長孔、３７…第２長孔、４０…下部蝶番、４１…一方の扉羽根、５０…上部金具、５５…孔、５６…フランジ、５７…ピン（突起）、６０…下部固定ベース、６３…取付用ねじ孔、６４…第１穴、６５…第２穴、６６…第１長孔、６７…第２長孔、７０…扉、７２…上部凹陥部、７３…下部凹陥部、８０…木ねじ、８１…取付用ねじ、８２…固定用ねじ、８３…調整用ねじ。
【図１】
0003554915.tif 000002
【図２】
0003554915.tif 000003
【図３】
0003554915.tif 000004
【図４】
0003554915.tif 000005
【図５】
0003554915.tif 000006